(57)【要約】【課題】  アクチュエータ部の主バイメタルと加熱体を水平に設置しアクチュエータ部の高さを低くして、小形の熱動形過負荷継電器を提供する。【解決手段】  ケース２１の底面に平行な水平方向に多数個設置され、回路の異常時に水平方向に湾曲する主バイメタル２２と、前記主バイメタルを湾曲させる加熱体と、主バイメタルの一端部に接触されるように設置され主バイメタルの湾曲により水平方向に移動可能なシフタ（２４，２５）と、シフタに接続されシフタの水平方向の動力を開閉機構部に伝達するレバー２６とを有する。【選択図】      図４
2004172122.tif 000002
【特許請求の範囲】
【請求項１】
電源と電気的負荷間の回路の異常時に動力を提供するアクチュエータ部と、前記アクチュエータ部から動力を受けて接点を開路位置または閉路位置に可動するための開閉機構部と、前記アクチュエータ部及び前記開閉機構部を収容するためのケースとを備える熱動形過負荷続電器において、
前記アクチュエータ部は、
前記ケースの底面に平行な水平方向に多数個設置され、前記回路の異常時に水平方向に湾曲する主バイメタル、
前記主バイメタルの周囲に巻かれ前記回路の異常時に発熱し、前記主バイメタルを湾曲させる加熱体、
前記ケースの底面に平行な水平方向に前記主バイメタルの一端部に接触されるように設置され、前記主バイメタルの湾曲により水平方向に移動可能なシフタ、及び
前記シフタに接続され、前記シフタの水平方向の動力を前記開閉機構部に伝達するレバーを含んで構成されたことを特徴とする熱動形過負荷継電器。
【請求項２】
前記シフタは、前記ケースの底面に平行な水平方向に同一垂直面上に設置される一対の上下シフタを含んで構成されたことを特徴とする請求項１記載の熱動形過負荷継電器。
【請求項３】
前記シフタは、前記ケースの底面と垂直方向に同一垂直面上に設置される一対の上下シフタで構成され、
前記主バイメタルの変位を前記開閉機構部に伝達するために、前記レバーを前記上下シフタにそれぞれ接続するための２つの軸をさらに含んで構成されたことを特徴とする請求項１記載の熱動形過負荷継電器。
【発明の詳細な説明】
【技術分野】
【０００１】
本発明はバイメタルの温度上昇による湾曲特性により組み込まれた電磁接触器をオン／オフさせる機能を有する熱動形過負荷継電器に関する。特に、従来垂直に設置されたアクチュエータ部の主バイメタルと加熱体とを水平に設置しアクチュエータ部の高さを低くすることによって、継電器の全体大きさを小さくし、またシフタとレバーの構造を改善して欠相時にも安全に動作することができるようにした熱動形過負荷継電器に関する。
【背景技術】
【０００２】
一般的に、熱動形過負荷継電器は電磁接触器と一緒に電磁開閉器を構成して、モータに通電される電流が予め設定した電流値以上になる過負荷または過電流の発生時に電源と負荷間の電気的回路をトリップ（遮断）してモータのような電気的負荷機器が損傷することを防止する役割をする電気機器である。
【０００３】
代表的な電気的負荷機器と言える交流モータには通常３相(Ｒ相、Ｓ相、Ｔ相)の交流電流が流れる。もし、３相のなかでいずれかの１相でも切れて電流が流れないようになると、他の２相に電流が集中される現象（欠相）により、過負荷が発生するようになる。その時、モータは過負荷による温度上昇によりモータの巻線絶縁が損傷されて焼損される等の問題点が発生するようになる。
【０００４】
従って、それを防止するために、通常のモータでは過負荷または欠相時の焼損を防止するように熱動形過負荷継電器を連結して用いている。
【０００５】
以下、従来の技術に従う熱動形過負荷継電器の構成及び動作を図１及び図２を参照して説明する。
【０００６】
従来の熱動形過負荷継電器は大きくはアクチュエータ部Ａと開閉機構部Ｂから構成される。
【０００７】
前記アクチュエータ部Ａは主ケース１に備えられ、前記開閉機構部Ｂに動力を伝達する。
【０００８】
前記開閉機構部Ｂは補助ケース５に備えられ、過電流、欠相、相の不平衡及び逆相などのような異常電流発生時に電磁接触器を回路遮断位置に動作させる信号を発生し回路の接点を閉路位置に可動する。
【０００９】
また、前記補助ケース５の上部には、図１に示したように、調整ダイヤル８とリセットボタン１１が備えられている。
【００１０】
前記調整ダイヤル８は、使用者が回路遮断時（トリップ）の感度を調整しようとする時、使用者がドライバを利用し調整することができるようにネジで構成されており、前記リセットボタン１１は回路遮断後継電器を元の位置に復帰させる時使用者が押すようにプッシュボタンで構成されている。
【００１１】
前記熱動形過負荷継電器のアクチュエータ部Ａと開閉機構部Ｂの詳細構成及び動作を前記図２を参照して説明する。
【００１２】
まず、前記アクチュエータ部Ａは、外観を形成する主ケース１と、過電流、欠相、相の不平衡及び逆相などのような異常電流の発生時に熱を発生する加熱体３と、前記加熱体３が外周面に巻かれており前記加熱体３からの熱により一側に湾曲される主バイメタル２と、前記主バイメタル２の上部と接続され前記主バイメタル２の湾曲により水平移動する板状をなす一対のシフタ４ａおよび４ｂと、前記シフタ４ａ及び４ｂに回動可能に接続され一側が温度補償バイメタル６に接続されるように設置されたレバー（図示していない）から構成される。
【００１３】
また、開閉機構部Ｂは、前記レバーの先端に接触された状態で前記シフタ４ａ及び４ｂの水平移動に応じて前記レバーにより回動される温度補償バイメタル６と、前記温度補償バイメタル６の一端部と接続され温度補償バイメタル６の回動時一緒に回動可能に設置される釈放レバー７と、前記釈放レバー７の回動時に釈放レバー７により押さえられながら回路接点を閉路位置または開路位置に切り換える反転機構１０を備える。
【００１４】
ここで、前記反転機構１０は一端部に接点が備えられ、他端部には固定された２つの板バネとこの板バネに接続されたコイルバネから構成される。前記反転機構１０は所定の圧力が加わると上方に膨れる状態から下方に膨れる状態に反転されたり、またはその逆に反転される。
【００１５】
前記反転機構１０の接点に対向する位置に固定接点が設置されている。前記反転機構１０の接点と前記固定接点は負荷に正常的に電流が流れる正常状態では開放されている常時開路接点である。
【００１６】
前記反転機構１０は、使用者が回路遮断後継電器を元の位置に復帰させるために、前記リセットボタン１１を押すと、中心部位が上方に膨れる状態に反転して接点が開放され、それにより電磁接触器に送出される信号の供給は遮断する。
【００１７】
一方、リンク中、リセットボタン１１と接続される端部と反対側の端部は負荷に正常的な電流が流れる正常状態では常時閉路接点中の可動接点を固定接点と接触された状態に押しており、前記のように回路の異常状態の発生時に反転機構１０が反転すると、前記リンクは上昇してリセットボタン１１を上方に押し上げる。
【００１８】
従って、使用者はリセットボタン１１が上昇した状態を肉眼で確認することによって、回路の異常状態発生および遮断動作中であることを認知することができるようになる。
【００１９】
一方、前記補助ケース５の上部に回転可能に備えられた調整ダイヤル８の下部には、前記釈放レバー７の回動軸にピンにより連結され調整ダイヤル８の回転に応じて釈放レバー７の回動軸の位置を調整する調整リンク９が備えられる。
【００２０】
従って、電源と負荷間の回路に過電流または欠相のような異常が発生されると、主バイメタル２に巻かれた加熱体３が発熱されることによって、主バイメタル２が図面上右側に湾曲され、それによりシフタ４ａ及び４ｂを右側に押し出すようになる。
【００２１】
その時、前記シフタ４ａ及び４ｂが温度補償バイメタル６の自由端と接触されシフタ４ａ及び４ｂが右側に押し出される時、温度補償バイメタル６が図面上反時計方向に回動するようになり、前記温度補償バイメタル６は釈放レバー７に接続（一端部が固定）されているため、結局主バイメタル２が右側に湾曲されることにより釈放レバー７が反時計方向に回動されるようになる。
【００２２】
前記のように、釈放レバー７が回動軸を中心に回動すると、平常時に釈放レバー７と接触された状態にある反転機構１０が釈放レバー７により下方に押され反転運動をするようになる。
【００２３】
従って、閉路状態にある前記常時閉路接点が分離され開路状態になる反面、開路状態にある前記常時開路接点が接触され閉路状態に切り換えられて、電磁接触器を回路遮断位置に切り換える信号を送出するようになり、電磁接触器によりモータに供給される電源供給が遮断されることによりモータに過電流が流れたり、または１相に電流が集中されたりすることが防止され、モータの焼損を阻止するようになる。
【００２４】
また、前記のように反転機構１０が反転動作をした後、これを再び元の位置に復帰させようとする時に補助ケース５の上部に備えられたリセットボタン１１を押すと、前記リンクに接続された反転機構１０の端部が下方に移動されると同時に瞬間的に反転して前記常時開路接点は分離された状態の元の位置に復帰するようになる。
【００２５】
一方、初期設定された機器のトリップ電流値を可変させようとする時には、使用者が補助ケース５の上部に備えられた調整ダイヤル８を回して釈放レバー７の回動軸位置を調整することによって、結局トリップ電流（動作電流）値を調整することができるようになる。
【００２６】
しかしながら、前記のような従来の熱動形過負荷継電器は、アクチュエータ部Ａに設置される主バイメタル２と加熱体３が垂直形態に配列されているため、ケース１の高さを一定限界以上に低くすることができず、それにより継電器を超小形に製作するのが難しく、従って超小形電磁接触器と組み込んで超小形の電磁開閉器を構成するのが不可能な問題点があった。
【００２７】
また、前記シフタ４ａ及び４ｂが２つの板材を上下に積層したものであって、シフタ４ａ及び４ｂを貫通する３つの主バイメタル２の合力により水平移動される構造であるため、１相や２相の欠相発生時に１〜２個の主バイメタル２の合力としてはシフタ４ａ及び４ｂの水平移動変位が小さくて、欠相発生時に接点を開閉する動作が不安定となり欠相発生時に回路遮断できなくなるなどの誤動作をする場合が多かった。
【発明の開示】
【発明が解決しようとする課題】
【００２８】
本発明の目的は、垂直に設置されたアクチュエータ部の主バイメタルと加熱体を水平に設置しアクチュエータ部の高さ（主ケースの高さ）を低くすることによって、継電器の全体の大きさを小さくした熱動形過負荷継電器を提供することにある。
【００２９】
また、本発明の他の目的は、シフタとレバーの構造を改善し欠相時にも安全に動作することができるようにした熱動形過負荷継電器を提供することにある。
【課題を解決するための手段】
【００３０】
前記目的を達成するために、本発明による熱動形過負荷継続器は、電源と電気的負荷間の回路の異常時に動力を提供するアクチュエータ部と、前記アクチュエータ部から動力を受けて接点を開路位置または閉路位置に可動するための開閉機構部と、前記アクチュエータ部及び前記開閉機構部を収容するためのケースとを備える熱動形過負荷続電器において、前記アクチュエータ部は、前記ケースの底面に平行な水平方向に多数個設置され前記回路の異常時に水平方向に湾曲する主バイメタルと、前記主バイメタルの周囲に巻かれ前記回路の異常時に発熱し前記主バイメタルを湾曲させる加熱体と、前記ケースの底面に平行な水平方向に前記主バイメタルの一端部に接触されるように設置され前記主バイメタルの湾曲により水平方向に移動可能なシフタと、前記シフタに接続され前記シフタの水平方向の動力を前記開閉機構部に伝達するレバーとを含んで構成されたことを特徴とする。
【００３１】
前記シフタは、前記ケースの底面に平行な水平方向に同一垂直面上に設置される一対の上下シフタを含んで構成される。
【００３２】
前記シフタは、前記ケースの底面と垂直方向に同一垂直面上に設置される一対の上下シフタで構成され、前記主バイメタルの変位を前記開閉機構部に伝達するために、前記レバーを前記上下シフタにそれぞれ接続するための２つの軸をさらに含んで構成される。
【発明の効果】
【００３３】
本発明による熱動形過負荷継電器は、アクチュエータ部を構成する主バイメタルと加熱体をケースの底面に平行に水平方向に設置しアクチュエータ部の高さを大幅に低くすることができるため、１つのケース内に内蔵することが可能であり、従って継電器を超小形に製作することができ、それにより超小形の電磁接触器と組み込んで超小形の電磁開閉器の製作が可能になる。
【００３４】
そして、主バイメタルに連動して動作する一対のシフタが同一垂直面上に上下に設置され、これらのシフタとそれぞれ軸またはピンにより接続されるようにレバーを備えて、欠相時にも前記レバーが回動されるとともに温度補償バイメタルを正確に回動させることができる構成であって、主バイメタルの合力によりシフタを駆動する従来の技術に比べて欠相時にも継電器の動作が正確になるため、結果的にモータを安全に保護することができるようになる。
【発明を実施するための最良の形態】
【００３５】
前記のような本発明をさらに詳しく説明するために、図３乃至図８を参照して本発明の実施例に対する構成と動作を説明する。
【００３６】
まず、本発明による熱動形過負荷継電器の内部構成を断面図で示した図４を参照して説明すると以下の通りである。
【００３７】
前記熱動形過負荷継電器は、従来の技術と同様に大きくは過電流または欠相のような電源と負荷間回路の異常状態の発生により動力を発生させるアクチュエータ部と、前記アクチュエータ部から動力を受けて接点を開放または閉路させる開閉機構部とで構成されるが、図３のように従来の技術とは異なって前記アクチュエータ部の高さが低いため、前記アクチュエータ部と開閉機構部は一つのケース２１内に組み込まれる。
【００３８】
前記アクチュエータ部はケース２１の底面に対して平行に水平方向に設置され温度上昇により水平方向に湾曲される主バイメタル２２と、前記主バイメタル２２の周囲に巻かれた加熱体２３とを含む。
【００３９】
本発明の熱動形過負荷継電器が、３相交流モータの過電流または欠相時にモータを保護するために電磁接触器と一緒に使用される場合、前記主バイメタル２２は各々の相電流に対応する３つが備えられ、従って加熱体２３も同様に３つが設置される。
【００４０】
そのような主バイメタル２２と加熱体２３の構成は、本発明による小形の熱動形過負荷継電器のアクチュエータ部を斜視図に示した図５を参照してより詳細に説明する。
【００４１】
前記主バイメタル２２の自由端に接触する位置に上下シフタ２４及び２５がケース２１の底面に対して水平方向に同一垂直面上に並べて設置されている。１つのレバー２６が、このシフタ２４及び２５にそれぞれ図示していない軸またはピンにより接続され、レバー２６が、上下シフタ２４及び２５が水平方向に移動する時２つの前記軸を中心に回動可能に構成される。
【００４２】
前記上下シフタ２４及び２５はそれぞれ水平部及び下方と上方に突出して（上シフタは下方、下シフタは上方）、主バイメタル２２の自由端部と接触する面を有する複数個の突出部を有する。
【００４３】
従って、回路上に過電流が発生した時には３つの主バイメタル２２のすべてが、欠相が発生した時には欠相された相を除く他の相に対応する主バイメタル２２が加熱体２３の加熱により湾曲され、そのような主バイメタル２２の湾曲変位に応じて主バイメタル２２と接触している上下シフタ２４及び２５は主バイメタル２２が変位される方向に水平移動をするようになる。
【００４４】
また、開閉機構部は、前記レバー２６の先端に接触された状態にレバー２６の回動により回動される温度補償バイメタル２７と、前記ケース２１に支持される軸を中心に下端が回動可能であり、温度補償バイメタル２７の一端部が固定的に接続され温度補償バイメタル２７と連動する釈放レバー２８と、前記釈放レバー２８の回転により反転し接点を開閉する反転機構３０を含む。
【００４５】
前記温度補償バイメタル２７は主バイメタルと直角をなす垂直方向に設置されている。
【００４６】
そこで、反転機構３０は一端部に接点を有し、他端部には固定された２つの板バネとこの板バネに接続されたコイルバネから構成され、その長手方向の中心部位に所定以上の圧力が加わると上方に膨れる状態から下方に膨れる状態に反転したり、またはその反対に反転したりすることができる機構である。
【００４７】
前記反転機構３０の接点（以下、可動接点という）に対向する位置には固定接点が設置され、この反転機構３０上の接点と固定接点は負荷に正常的に電流が流れる正常状態では開放されている（互いに分離されている）常時開路接点である。
【００４８】
可動接点を有する一端部は、符号を指定していないリンクによりリセットボタン１１と接続される。回路遮断後、継電器を元の位置に復帰させるために使用者がリセットボタン１１を押すと、反転機構３０中の板バネの中心部位が上方に膨れる状態に反転する。従って、可動接点と固定接点は分離され、電磁接触器に送出される回路遮断のための信号供給は中断される。
【００４９】
一方、前記リンク中、リセットボタン１１と接続される端部と反対側の端部は負荷に正常的な電流が流れる正常状態では常時閉路接点中の可動接点を固定接点と接触された状態に押しており、前記のように回路の異常状態の発生時に反転機構３０が反転すると前記リンクは上昇しリセットボタン１１を上方に押し上げる。
【００５０】
従って、使用者はリセットボタン１１が上昇した状態を肉眼に確認することにより、回路の異常状態の発生及び遮断動作中であることを認知することができ、前記リンクにより押されている常時閉路接点中の可動接点が固定接点から分離される。
【００５１】
一方、前記ケース２１の上部に回転可能に備えられた調整ダイヤル２９の下部には、前記釈放レバー２８の回動軸にピンで連結され調整ダイヤル２９の回転により釈放レバー２８の回動軸位置を調整する調整リンク９が備えられる。
【００５２】
一方、図５を参照して本発明によるアクチュエータ部の構成をより詳細に説明する。
【００５３】
前記主バイメタル２２はそれぞれの相電流に対応する３つが備えられ、その厚さ面が上に向いている態様に３つが一定間隔をもって水平に互いに平行に設置され、電源と負荷間回路上に異常が発生した時に発熱し主バイメタル２２を加熱するための加熱体２３がそれぞれの主バイメタル２２に巻かれる。
【００５４】
前記３つの加熱体２３は３つの端子３１に接続され、この端子３１は３相交流モータのような交流負荷に別途の導線（未図示）を通じて接続される。
【００５５】
図５に示したように、３つの主バイメタル２２中、端子３１側の反対側端部はそれぞれ上下シフタ２４及び２５と接続するように設置される。
【００５６】
前述したように、上下シフタ２４及び２５はそれぞれ水平部、及び下方と上方に突出して（上シフタは下方、下シフタは上方）、主バイメタル２２の自由端部と接触する面を有する複数個の突出部を有し、主バイメタル２２に対して直角方向である垂直方向に同一垂直面上に上下平行に水平移動が可能な状態に設置される。
【００５７】
前記レバー２６は、図示していない軸またはピンにより上下シフタ２４及び２５の前記水平部に各々接続され、上下シフタ２４及び２５の水平移動時に連動し水平移動または回動可能に備えられる。
【００５８】
前記のように構成された本発明の熱動形過負荷継電器の作動を図４乃至図８を参照して説明すると以下の通りである。
【００５９】
まず、電源と負荷間回路上に正常的な電流が流れる正常状態では加熱体２３が発熱しないため、主バイメタル２２が湾曲変位されないので、従って図６のようにシフタ２４及び２５の図面上左側面は初期状態であるＸ線上にあるようになる。
【００６０】
このような状態で回路に過負荷により過電流が流れるようになると、主バイメタル２２に巻かれた加熱体２３の３つが全部発熱し、その熱により３つの主バイメタル２２が全部同時に湾曲変位され、かつ自由端が図面上右側に水平移動するようになり、その時図７のように主バイメタル２２に接続される上下シフタ２４及び２５は全部主バイメタル２２が変位される方向と同一な方向に水平移動をする。
【００６１】
従って、上下シフタ２４及び２５の図面上左側面はＹ線上にあるようになり、このシフタ２４及び２５に軸で連結されたレバー２６もＸからＹへ図面上右側に水平移動する。
【００６２】
前記のようにレバー２６が水平移動すれば、その水平移動力により温度補償バイメタル２７が図面上反時計方向に回動するとともに、釈放レバー２８も図面上反時計方向に回転運動をするようになり、前記のように釈放レバー２８が回動軸を中心に回動すれば平常時に釈放レバー２８と接触された状態にあった反転機構３０が釈放レバー２８により下方に押され反転運動をするようになる。
【００６３】
従って、閉路状態にあった前記常時閉路接点が分離され開路状態になる一方、開路状態にあった前記常時開路接点が接触され閉路状態に切り換えられて電磁接触器を遮断位置に切り換える信号を送出するようになり、電磁接触器によりモータに供給される電源供給が遮断されることにより、モータに過電流が流れることが阻止されるためモータの焼損を防止するようになる。
【００６４】
一方、３相中のいずれか１つまたは２つの相の欠相（Phase Deficiency）が発生した場合、例えば３相中で中間の相の欠相が発生した場合には、中間の加熱体が発熱しなくて中間の主バイメタルは変位されない状態で左右側にある加熱体に電流が集中され発熱することによって、左右側の主バイメタルだけ加熱され水平方向（図面上右側）に湾曲変位が発生するため、図８のように図面上下部のシフタ２５は停止し、その左側面が初期位置であるＸ線上にそのままあり、上部のシフタ２４だけ右側に水平移動をし、その左側面がＹ線上に位置するようになる。
【００６５】
従って、上下シフタ２４及び２５間に連結されたレバー２６はその上端部分だけ右側に移動するとともに時計方向に回動するようになり、そのようなレバー２６の回動力により温度補償バイメタル２７が反時計方向に回動する。
【００６６】
その時、釈放レバー２８は図面上反時計方向に回転運動をするようになり、前記のように釈放レバー２８が回動軸を中心に回動すると、平常時に釈放レバー２８と接触した状態にあった反転機構３０が釈放レバー２８により下方に押され反転運動をするようになる。
【００６７】
従って、閉路状態にあった前記常時閉路接点が分離され開路状態になる反面、開路状態にあった前記常時開路接点が接触され閉路状態に切り換えられて、電磁接触器を回路遮断位置に切り換える信号を送出するようになる。そうすると、電磁接触器によりモータに供給された電源供給が遮断されることにより、モータに過電流が流れるのが阻止されるためモータの焼損を防止するようになる。
【００６８】
前記のように本発明による熱動形過負荷継電器のレバー２６は、図６乃至図８に２つの丸の点線に示された軸またはピンにより上下シフタ２４及び２５の前記水平部にそれぞれ接続されている。従って、欠相が発生して下シフタ２５が停止する状態でも上シフタ２４が水平移動してレバー２６を回動させることができるため、欠相発生時にも正確な接点開閉動作を実現することができる。結果的に、本発明による熱動形過負荷継電器は、信号線により接続された電磁接触器に遮断位置に切り換える信号を正確に伝達し負荷の損傷を安全に防止することができる。
【００６９】
また、前記のように反転機構３０が反転動作をした後、それを再び元の位置に復帰させようとする時に、ケース２１の上部に備えられたリセットボタン１１を押すと、前記リンクに接続された反転機構３０の端部が下方に移動されると同時に瞬間的に反転し前記常時開路接点は分離される状態の元の位置に復帰するようになる。
【００７０】
一方、初期設定された機器のトリップ電流値を可変させようとする時には、従来のように使用者がケース２１の上部に備えられた調整ダイヤル２９を回して釈放レバー２８の回動軸の位置を調整することによって、結局トリップ電流（動作電流）値を調整することができるようになる。
【図面の簡単な説明】
【００７１】
【図１】従来の熱動形過負荷継電器の斜視図である。
【図２】図１の内部構成図である。
【図３】本発明による熱動形過負荷継電器の斜視図である。
【図４】図３の内部構成図である。
【図５】本発明による熱動形過負荷継電器のアクチュエータ部の斜視図である。
【図６】本発明による熱動形過負荷継電器のシフタ作動状態図（その１）である。
【図７】本発明による熱動形過負荷継電器のシフタ作動状態図（その２）である。
【図８】本発明による熱動形過負荷継電器のシフタ作動状態図（その３）である。
【符号の説明】
【００７２】
Ａ…アクチュエータ部
Ｂ…開閉機構部
１…主ケース
２、２２…主バイメタル
３、２３…加熱体
４ａ、４ｂ、２４、２５…シフタ
５…補助ケース
６、２７…温度補償バイメタル
７、２８…釈放レバー
８、２９…調整ダイヤル
９…調整リンク
１０、３０…反転機構
１１…リセットボタン
２１…ケース
２６…レバー
３１…端子
【図１】
2004172122.tif 000003
【図２】
2004172122.tif 000004
【図３】
2004172122.tif 000005
【図４】
2004172122.tif 000006
【図５】
2004172122.tif 000007
【図６】
2004172122.tif 000008
【図７】
2004172122.tif 000009
【図８】
2004172122.tif 000010